(57)【要約】表示装置、観察位置、あるいはこれら両者に起因するある幾つかのタイプのコンバーゼンス、形状、カラー、輝度の誤差を修正しながら明るさと解像度とを向上させるためのシステム。このシステムは、二つ以上の源からの画像を併合することと、画素をオーバーラップし、またオフセットする（ずらせる）こと、またはＣＲＴ内で走査線「併合されたラスター」またはカラーＣＲＴ内で数個（３個）の「併合ラスター」をオーバーラップさせることと、現在の観察位置および／または装置歪みを補正するためにビデオの内容とタイミングとを調整することとを含んでいる。表示および／または観察パースペクティブ歪み特性は、ラスターまたは各非収束ラスターに関する観測者の観察位置から測定されて、修正係数データとして不揮発性メモリに格納される。このデータは、ビデオ画像メモリのディジタルアドレス指定を修正するためと、各画像について画素データを読み取って修正するためと、カラーを調整し、大きさを変更し、修正された振幅と画像データによって正しい時間に表示装置のビデオ増幅器を駆動するためとに使用される。ビデオ経路内でこれらの変更を実施することは、画像品質とコスト削減とに実質的な改善をもたらす。
2004529374.tif 000002
【特許請求の範囲】
【請求項１】
スクリーン・パラメータを有するスクリーン上に画像を生成するように動作可能な表示装置と、
ビデオ画像またはその一部を表す画素情報を記憶する画像メモリと、
スクリーン・パラメータを定義するスクリーン情報を前記表示装置から受け取って、前記スクリーン・パラメータに対応する画像メモリ内のアドレスに前記スクリーン・パラメータを写像するように構成されたビデオプロセッサ・モジュールとからなる、ビデオ画像を表示するための画像表示システム。
【請求項２】
前記パラメータは、スクリーン位置である、請求項１に記載の画像表示システム。
【請求項３】
前記パラメータは、照射ビームがあるスクリーン位置にあるであろう時を表す時間値である、請求項１に記載の画像表示システム。
【請求項４】
前記画素情報は、前記スクリーン位置を照射する前記表示装置の照射源を駆動するための電子銃制御モジュールによって使用される、請求項１に記載の画像表示システム。
【請求項５】
スクリーン位置を取得するための、前記スクリーン情報によって指示可能な修正係数データテーブルを有し、また前記スクリーン位置を前記ビデオプロセッサ・モジュールに通知する特徴付けモジュールを更に含む、請求項１に記載の画像表示システム。
【請求項６】
前記表示装置は陰極線管表示装置である、請求項１に記載の画像表示システム。
【請求項７】
前記表示装置は複数の照射源を有する、請求項６に記載の画像表示システム。
【請求項８】
前記陰極線管装置は、異なるスクリーン位置でスクリーンに投射する照射ビームと、前記スクリーン位置の関数である陰極線管パラメータを感知するセンサとを更に含む、請求項６に記載の画像表示システム。
【請求項９】
前記センサは、前記陰極線管内の電流を感知するヨーク電流センサである、請求項８に記載の画像表示システム。
【請求項１０】
前記修正係数データテーブルは、前記照射ビームが前記スクリーン上の将来位置に位置決めされるであろう将来時間を表すビーム時間値を取得するために前記スクリーン情報によって指示可能である、請求項５に記載の画像表示システム。
【請求項１１】
前記ビデオプロセッサ・モジュールは、カウンタ・モジュールと、前記ビーム時間値を前記カウンタ・モジュールにロードするように構成された制御論理とを更に含んでいる、請求項１０に記載の画像表示システム。
【請求項１２】
前記カウンタ・モジュールは、前記ビーム時間値からカウントダウンして、修正された画像信号が前記ビデオプロセッサ・モジュールによって生成される時を示すように構成される、請求項１１に記載の画像表示システム。
【請求項１３】
前記画像メモリは、前記陰極線管の偏向ヨークの最大垂直歪みに関する前記スクリーンの一部分を照射するために十分な量の画素情報を記憶する、請求項６に記載の画像表示システム。
【請求項１４】
一つのスクリーン位置に隣接する複数の画素からの画素情報を操作することによって前記一つの画面位置に対応する合併画素に関する情報を生成するように動作可能な解像度向上モジュールを更に含む、請求項１に記載の画像表示システム。
【請求項１５】
操作は、前記複数の画素からの前記情報に対して一次補間を実行することを含む、請求項１４に記載の画像表示システム。
【請求項１６】
操作は、前記複数の画素に対して二次補間を実行することを含む、請求項１４に記載の画像表示システム。
【請求項１７】
表示装置仕様を満足する位置合わせされた画像を生成する方法であって、
少なくとも１ラインのビデオデータをメモリ・モジュールに格納するステップと、
前記表示装置仕様に関連した時間にメモリから前記ビデオデータを検索するステップと、
修正されたビデオ画像信号を生成するステップと、
前記修正されたビデオ画像信号を前記表示装置に送信するステップと、
前記位置合わせされた表示画像を生成するための照射要素を有するスクリーンにビームを照射するために前記修正されたビデオ信号を使って照射源を駆動するステップとを含む、前記方法。
【請求項１８】
前記ビデオデータの検索は、
前記ビームがあるスクリーン位置に到達するまでの時間を表す時間値を検索するために修正係数データテーブルを指示するステップと、
前記スクリーン位置に対応する修正済みビデオ画像信号が生成され得るように、カウントダウンするように構成されたカウンタに前記時間値をロードするステップとを含む、請求項１７に記載の方法。
【請求項１９】
前記ビデオデータの検索は、
あるスクリーン位置に隣接する複数の画素に関する複数の画素データを検索するステップと、
前記複数の画素データの組合せを表す合併画素データを生成するステップとを更に含む、請求項１８に記載の方法。
【請求項２０】
アドレス指定可能なスクリーン位置を定義する情報を表示装置から受け取るステップと、
前記アドレス指定可能なスクリーン位置に対応する画像メモリから画素情報を検索するステップと、
前記アドレス指定可能なスクリーン位置を照射するように前記画素情報を使用して前記表示装置の照射源を駆動するステップとを含む、ビデオ画像を表示する方法。
【請求項２１】
前記照射源は前記アドレス指定可能なスクリーン位置に照射ビームを投射し、
前記方法は前記画素情報を使って修正済みビデオ画像を生成するように電圧信号を変調するステップと、
前記照射ビームの非線形特性に関連する時間に前記修正済みビデオ信号を送信するステップとを更に含む、請求項２０に記載の方法。
【請求項２２】
請求項２０に記載の方法を実行するためのコンピュータ読取り可能な命令を有するコンピュータ読取り可能な媒体。
【発明の詳細な説明】
【０００１】
本出願は、ヨーロッパと日本と韓国とに関する出願人としてのカナダ国籍で米国所在のＧＥＮＥＳＩＳ  ＭＩＣＲＯＣＨＩＰ社と、米国のみに関する出願人／発明者としての米国籍で米国在住のＪａｍｅｓ  Ｒ．Ｗｅｂｂと、カナダ国籍カナダ在住のＳｔｅｖｅ  Ｓｅｌｂｙと、カナダ国籍カナダ在住のＧｈｅｏｒｇｈｅ  ＢｅｒｂｅｃｅｌとによるＰＣＴ出願として出願されている。本ＰＣＴ出願は、ヨーロッパ、日本、韓国および米国を指定している。
【０００２】
（関連出願）
本出願は、２０００年４月５日に出願された米国仮出願第６０／１９４，６２０号の優先権を主張する。
【０００３】
（技術分野）
本発明は、ビデオ表示装置に関し、特に、明度及び解像度を向上させることと、表示装置に起因する幾つかのタイプの誤差を修正することとに関する。
【０００４】
（定義）
調整する（ＡＬＩＧＮ）は、歪み特性が最小化されるように、また陰極線管に表示されるビデオ画像が目に感じの良い画像を形成するようにビデオ画像を調整することを意味する。
調整カメラ（ＡＬＩＧＮＭＥＮＴ  ＣＡＭＥＲＡ）は、米国特許第５，２１６，５０４号に記載された方法で陰極線管に表示される画像を表す信号を生成するために使用されるビデオを意味する。
【０００５】
調整仕様（ＡＬＩＧＮＭＥＮＴ  ＳＰＥＣＩＦＩＣＡＴＩＯＮＳ）は、調整済みビデオ画像を与えるための各修正係数パラメータの歪みデータに関する限定セットを意味する。
【０００６】
バーコード（ＢＡＲ  ＣＯＤＥ）は、何らかの種類の光学的に符号化されたデータを意味する。
【０００７】
陰極線管（ＣＡＴＨＯＤＥ  ＲＡＹ  ＴＵＢＥ＝ＣＲＴ）は、管構造と、蛍光体スクリーンと、管のネックと、ヨーク・その他のコイルを含む偏向・制御捲線と、電子銃とを意味する。
【０００８】
特徴付けモジュール（ＣＨＡＲＡＣＴＥＲＩＺＡＴＩＯＮ  ＭＯＤＵＬＥ）は、ある仕方で表示装置に接続されていて、その表示装置のための修正係数データまたは識別番号を記憶するための記憶装置、および／またはマイクロプロセッサまたは他の論理装置といった処理装置、および／またはドライバと修正回路、および／または制御回路とを含むことができる装置を意味する。この特徴付けモジュールはまた、標準化された変換方程式を使用するモニタ調整に使用するためのパラメータ・データを格納することもできる。
【０００９】
座標位置（ＣＯＯＲＤＩＮＡＴＥ  ＬＯＣＡＴＩＯＮＳ）は、陰極線管の面上の個別的物理位置、または表示スクリーン上の物理領域を意味する。
【００１０】
修正およびドライバ回路（ＣＯＲＲＥＣＴＩＯＮ  ＡＮＤ  ＤＲＩＶＥＲ  ＣＩＲＣＵＩＴＲＹ）は、下記のもの、すなわちディジタル・アナログ変換器、補間エンジン、パルス幅変調器、パルス密度変調器、並びに必要であれば種々の加算増幅器といった装置の中の一つ以上を意味する。これらの装置は、調整済みビデオ画像を生成するために制御回路に印加される修正制御信号を生成することができる。
【００１１】
修正制御信号（ＣＯＲＲＥＣＴＩＯＮ  ＣＯＮＴＲＯＬ  ＳＩＧＮＡＬＳ）は、水平制御回路、垂直制御回路または電子銃回路のいずれかに印加されるように組み合わされた修正係数信号を意味する。
【００１２】
修正係数データ（ＣＯＲＲＥＣＴＩＯＮ  ＦＡＣＴＯＲ  ＤＡＴＡ）は、ある特定の物理位置における歪み特性を相殺するように陰極線管上のその位置におけるビデオ信号を調整するために必要とされる修正量を表す符号化されたディジタル・バイトまたはその他の形式のデータを含む。修正係数データは、利得マトリックステーブルからのデータ、電子銃特性に関するデータ、および／または陰極線管の形状特性に関するデータを含むこともあり得る。
【００１３】
修正係数パラメータ（ＣＯＲＲＥＣＴＩＯＮ  ＦＡＣＴＯＲ  ＰＡＲＡＭＥＴＥＲＳ）は、水平サイズ、垂直サイズ、水平中心、垂直中心、糸巻歪み、垂直直線性、台形歪み、コンバーゼンスなどを含む陰極線管の種々の形状特性と、コントラスト、輝度、光度、焦点、カラーバランス、色温度、電子銃カットオフなどを含む陰極線管の種々の電子銃特性とを含む。
【００１４】
修正係数信号（ＣＯＲＲＥＣＴＩＯＮ  ＦＡＣＴＯＲ  ＳＩＧＮＡＬＳ）は、積分された、またはフィルタリングされたディジタル修正信号を意味する。
【００１５】
修正信号（ＣＯＲＲＥＣＴＩＯＮ  ＳＩＧＮＡＬＳ）は、ディジタルの修正信号と修正係数信号とを意味する。
【００１６】
復号器（ＤＥＣＯＤＥＲ）は、ＰＷＭ、ＰＤＭ、ＤＡＣ、補間エンジン、オンスクリーン・ディスプレイ・チップなどを含むことができる一つ以上のデータバイトに応じて電子信号を生成するための装置を意味する。
【００１７】
ディジタル修正信号（ＤＩＧＩＴＡＬ  ＣＯＲＲＥＣＴＩＯＮ  ＳＩＧＮＡＬＳ）は、修正係数データに応じてパルス幅変調器、パルス密度変調器、ディジタル・アナログ変換器等といった復号器によって生成される信号を意味する。
【００１８】
ディジタル画像信号（ＤＩＧＩＴＡＬ  ＩＭＡＧＥ  ＳＩＧＮＡＬ）は、表示装置人為誤差の修正用に処理されたディジタルデータを意味する。
【００１９】
ディジタル化信号（ＤＩＧＩＴＩＺＥＤ  ＳＩＧＮＡＬ）は、ディジタルな性質を持つ任意の電気信号である。
【００２０】
ディジタル化ビデオ信号（ＤＩＧＩＴＩＺＥＤ  ＶＩＤＥＯ  ＳＩＧＮＡＬ）は、ＲＡＭ又はその他のディジタル記憶装置に格納でき、ディジタル処理装置で処理できるディジタル形式で送られた、あるいはディジタル形式に変換された入力ビデオ信号である。
【００２１】
方向（ＤＩＲＥＣＴＩＯＮ）は、上、下、左、右、明るい、暗い、高い、低い等の方向を意味する。
【００２２】
個別位置（ＤＩＳＣＲＥＴＥ  ＬＯＣＡＴＩＯＮＳ）は、陰極線管スクリーン上の個別画素を意味するか、陰極線管スクリーン上の複数画素を含むこともある。
【００２３】
ディスプレイ製品（ＤＩＳＰＬＡＹ  ＰＲＯＤＵＣＴ）は、一つ以上の表示装置を含む、ビデオ信号を見るために製造されたパッケージ化ディスプレイ製品を意味する。
【００２４】
表示装置（ＤＩＳＰＬＡＹ  ＤＥＶＩＣＥ）は、ＣＲＴ、管とヨークの組立品、ＬＣＤ、ＤＭＤ、マイクロディスプレイ等と、関連観察スクリーンとを意味する。
【００２５】
表示画像信号（ＤＩＳＰＬＡＹ  ＩＭＡＧＥ  ＳＩＧＮＡＬ）は、表示装置を駆動する修正済み出力ビデオ信号を意味する。
【００２６】
表示スクリーン（ＤＩＳＰＬＡＹ  ＳＣＲＥＥＮ）は、ビデオ画像が見られる表面を意味する。
【００２７】
歪み特性（ＤＩＳＴＯＲＴＩＯＮ  ＣＨＡＲＡＣＴＥＲＩＳＴＩＣＳ）は、陰極線管上の多数の異なる位置における歪みデータによって示される歪み量を意味する。
【００２８】
歪みデータ（ＤＩＳＴＯＲＴＩＯＮ  ＤＡＴＡ）は、表示装置の形状特性および／または表示装置の転送特性に関して表示上に存在する歪み量の測定値である。例えば歪みデータは、ビデオ画像の位置合わせ不良の結果として、あるいはビデオ画像信号の不適切な振幅または利得の結果として測定できる。歪みデータは、所望の定量値からの修正係数パラメータのずれの定量値であり得る。歪みデータは、表示装置上の座標位置において測定できる。
【００２９】
ドライバ信号（ＤＲＩＶＥＲ  ＳＩＧＮＡＬＳ）は、陰極線管の偏向・制御捲線と電子銃とを駆動するために使用される電気信号と、表示画像信号と、ピクセル化された表示用のアドレス指定データとである。
【００３０】
退場基準（ＥＸＩＴ  ＣＲＩＴＥＲＩＡ）は、調整済みビデオ画像を生成することができる修正係数データの生成を可能にする各修正係数パラメータの歪みデータに関する限定セットを意味する。
【００３１】
フレーム・グラバー（ＦＲＡＭＥ  ＧＲＡＢＢＥＲ）は、ビデオ・フレームを捕捉するための電子装置を意味する。
【００３２】
利得マトリックス・テーブル（ＧＡＩＮ  ＭＡＴＲＩＸ  ＴＡＢＬＥ）は、「ビデオモニタにおいて修正を行うための方法と装置（Ｍｅｔｈｏｄ  ａｎｄ  Ａｐｐａｒａｔｕｓ  ｆｏｒ  Ｍａｋｉｎｇ  Ｃｏｒｒｅｃｔｉｏｎｓ  ｉｎ  ａ  Ｖｉｄｅｏ  Ｍｏｎｉｔｏｒ）」と題する、１９９６年３月５日出願の米国特許出願第０８／６１１，０９８号に開示されたような、一つの修正係数パラメータに関する修正係数データの変化が他の修正係数パラメータに関する修正係数データの変化にどの程度影響するかを示すために使われる値のテーブルを意味する。
【００３３】
ゴールデンチューブ／ディスプレイ（ＧＯＬＤＥＮ  ＴＵＢＥ／ＤＩＳＰＬＡＹ）は、特定のモデルの表示装置に関する限定歪み特性を有するサンプル表示装置を意味する。
【００３４】
積分器（ＩＮＴＥＧＲＡＴＯＲＳ）は、入力信号の時間的積分である積分信号を生成するための装置を意味する。
【００３５】
補間エンジン（ＩＮＴＥＲＰＯＬＡＴＩＯＮ  ＥＮＧＩＮＥ）は、「階調度を生成するための補間エンジン（Ｉｎｔｅｒｐｏｌａｔｉｏｎ  Ｅｎｇｉｎｅ  ｆｏｒ  Ｇｅｎｅｒａｔｉｎｇ  Ｇｒａｄｉｅｎｔｓ」」と題する、Ｒｏｎ  Ｃ．Ｓｉｍｐｓｏｎによって１９９６年３月１１日に出願された米国特許出願第０８／６１３，９０２号に開示されたような、連続的に可変な信号を生成するための装置を意味する。
【００３６】
論理装置（ＬＯＧＩＣ  ＤＥＶＩＣＥ）は、マイクロプロセッサ、状態機械、あるいは他の論理装置を含む、メモリから修正係数データを読み取ってそれを修正・駆動回路に送信するための任意の所望の装置を意味する。
【００３７】
磁気ストリップ（ＭＡＧＮＥＴＩＣ  ＳＴＲＩＰ）は、表示装置に取り付け可能な任意の種類の磁気記憶媒体を意味する。
【００３８】
最大修正可能歪みデータ（ＭＡＸＩＭＵＭ  ＣＯＲＲＥＣＴＡＢＬＥ  ＤＩＳＴＯＲＴＩＯＮ  ＤＡＴＡ）は、予め決められた修正・駆動回路と制御回路とを使ってある特定の表示装置に関して調整済みビデオ信号が生成され得る歪みデータの限界値を意味する。
【００３９】
メモリ（ＭＥＭＯＲＹ）は、ＥＥＰＲＯＭ、ＲＡＭ、ＥＰＲＯＭ、ＰＲＯＭ、ＲＯＭ、磁気記憶装置、磁気フロッピー、バーコード、シリアルＥＥＰＲＯＭ、フラッシュメモリなどを含むがこれらに限定されない任意の所望の記憶媒体を含む。
【００４０】
マルチモード・ディスプレイ（ＭＵＬＴＩ−ＭＯＤＥ  ＤＩＳＰＬＡＹ）は、多重同期技術を使用した多重同期モニタを意味する。
【００４１】
不揮発性電子記憶装置（ＮＯＮ−ＶＯＬＡＴＩＬＥ  ＥＬＥＣＴＲＯＮＩＣ  ＳＴＯＲＡＧＥ  ＤＥＶＩＣＥ）は、一定の電力供給を必要としないデータ記憶の可能な電気的メモリ装置を意味する。
【００４２】
パターン発生器（ＰＡＴＴＥＲＮ  ＧＥＮＥＲＡＴＯＲ）は、歪みデータの測定を可能にするビデオ信号を生成可能な任意のタイプのビデオ発生器を意味する。
【００４３】
ピクセル化ディスプレイ（ＰＩＸＩＬＡＴＥＤ  ＤＩＳＰＬＡＹ）は、個別のピクチャーエレメント（ｐｉｃｔｕｒｅ ｅｌｅｍｅｎｔ）を有する任意の表示装置を意味し、例としては液晶表示パネルとディジタル・マイクロミラー・ディスプレイ（ＤＭＤ）とマイクロディスプレイとがある。
【００４４】
プロセッサ（ＰＲＯＣＥＳＳＯＲ）は、シリアルＥＥＰＲＯＭ、状態機械、マイクロプロセッサ、ディジタル信号プロセッサ（ＤＳＰ）等を含むが、これらに限定されない論理装置を意味する。
【００４５】
量産表示装置（ＰＲＯＤＵＣＴＩＯＮ  ＤＩＳＰＬＡＹ  ＤＥＶＩＣＥ）は、製造ラインで多量に製造される表示装置を意味する。
【００４６】
パルス密度変調（ＰＵＬＳＥ  ＤＥＮＳＩＴＹ  ＭＯＤＵＬＡＴＩＯＮ）は、「ビデオモニタにおいて修正を行うための方法と装置（Ｍｅｔｈｏｄ  ａｎｄ  Ａｐｐａｒａｔｕｓ  ｆｏｒ  Ｍａｋｉｎｇ  ｃｏｒｒｅｃｔｉｏｎｓ  ｉｎ  ａ  Ｖｉｄｅｏ  Ｍｏｎｉｔｏｒ）」と題する、Ｊａｍｅｓ  Ｒ．Ｗｅｂｂ等によって１９９６年３月５日に出願された米国特許出願第０８／６１１，０９８号に開示されたような、一つ以上のデータバイトに応じてパルス密度変調信号を生成する装置を意味する。
【００４７】
パルス幅変調（ＰＵＬＳＥ  ＷＩＤＴＨ  ＭＯＤＵＬＡＴＩＯＮ）は、前に引用した１９９６年３月５日出願の米国特許出願第０８／６１１，０９８号と米国特許第５，２１６，５０４号とに開示されているような、一つ以上のデータバイトに応じてパルス幅変調信号を生成する装置を意味する。
【００４８】
記憶ディスク（ＳＴＯＲＡＧＥ  ＤＩＳＫ）は、フロッピーディスク、光ディスク装置、磁気テープ記憶装置、光磁気記憶装置、コンパクトディスク等の磁気記憶装置を含むデータを記憶するための任意のタイプの記憶装置を含む。
【００４９】
加算増幅器（ＳＵＭＭＩＮＧ  ＡＭＰＬＩＦＩＥＲＳ）は、前に引用した１９９６年３月５日出願の米国特許出願第０８／６１１，０９８号に開示されたような複数の入力信号を組み合わせることのできる装置を意味する。
【００５０】
変換方程式（ＴＲＡＮＳＦＯＲＭＡＴＩＯＮ  ＥＱＵＡＴＩＯＮ）は、表示装置の歪み特性を修正する修正電圧波形を生成するための標準形式の方程式を意味する。
【００５１】
ユニバーサル・モニタ・ボード（ＵＮＩＶＥＲＳＡＬ  ＭＯＮＩＴＯＲ  ＢＯＡＲＤ）は、下記のもの、すなわち垂直制御回路、水平制御回路、電子銃制御回路、修正・駆動回路、論理装置およびメモリといった装置の中の一つ以上を含む装置を意味する。ユニバーサル・モニタ・ボードは、特定のモニタ、理想的シャシーボードあるいはモニタ・ボードの特性または仕様にマッチするように調整できるシャシーボードによって使われる実際のシャシー・モニタボード等を含むこともある。
【００５２】
ビデオ画像（ＶＩＤＥＯ  ＩＭＡＧＥ）は、ビデオ信号に応じて生成される表示装置スクリーンに現れる表示画像を意味する。
【００５３】
ビデオ・パターン（ＶＩＤＥＯ  ＰＡＴＴＥＲＮ）は、パターン発生器によって生成されたビデオ信号の結果として表示装置の観察スクリーン上に現れるパターンのビデオ画像である。
【００５４】
ビデオ信号（ＶＩＤＥＯ  ＳＩＧＮＡＬ）は、表示装置内に入力される電子信号を意味する。
【００５５】
ビデオ技術の分野では、ビデオ表示装置上にビデオ信号を表示するための従来の方法とシステムは、表示されるビデオ画像に視覚的人為構造を得る結果をもたらすという本来的な特性を持っている。これらの人為構造は、表示および観察を意図した画像が実際に表示され観察された画像とは異なるので、その画像内の誤差と考えられる。誤差は、コンピュータ陰極線管（ＣＲＴ）モニタ、コンピュータ液晶ディスプレイ（ＬＣＤ）モニタ、ＤＭＤプロジェクタ、マイクロディスプレイおよび高精細テレビジョン（ＨＤＴＶ）受像機を含む、多くのタイプのマルチモード、ピクセル化ビデオ表示装置に発生する。従って、従来型ディスプレイのシステムと方法は、既存の規格内で可能な最良の画像を与えない。
【００５６】
現在のマルチモード、ピクセル化ビデオ表示装置に共通する一つの人為構造は、明るさと解像度が最適値よりも低い。次善の明るさと解像度は、表示スクリーン上のピクチャエレメント（画素）間に存在するギャップから起こる。これらのギャップのために表示装置の電子ビームは表示面全体を照射またはアドレス指定できない。画素間のギャップは、いわゆる低い充填係数という結果をもたらし、ここでは画素間に光が放射されない。これらの画素の中心から中心までの間隔は、離れていて固定的離散的である。低い充填係数は、可能な明るさを低くし、また解像度を減少させて英数字と斜め線にぎざぎざなエッジを作る結果を招く。観察者は、ほとんど網戸を通して場面を見ているように、線間および画素間の空間に気付くことが多い。これは、観察者にとって煩わしく不快でさえあり、眼精疲労、疲れおよび生産性の損失を招く。非ピクセル化ディスプレイにおいて、明るさと解像度を改善する一つの方法は、走査線がオーバーラップするようにラスター内の走査線を併合または過併合することである。しかしながら現在のマルチモード、ピクセル化ディスプレイは、併合されたラスター密度より低い画素密度で動作するモードでは画像内の画素間にギャップが存在するので、走査線を併合および過併合するというオーバーラップ特性を利用することができない。
【００５７】
アドレス指定する一つのまたは複数のビームの磁気的または静電的偏向を有する表示装置は、糸巻歪み、台形歪み、およびその他非線形といった他の形の歪みを示すことが多い。これらの歪みは、電子ビームがＣＲＴの観察スクリーンに亘って不適切に偏向される結果である。電子ビームは、それが通過する電磁場の変動に極めて敏感である。その結果、不適切な偏向は、コイルの調整不良と地球の磁場とを含む多くの理由から発生し得る。モニタ内の追加の偏向コイルと電子回路とを使って電子ビームの位置を細かく調整することによってこれらの歪みを修正しようとする従来型の方法とシステムが使われてきた。しかしながら、これらの方法は、誤ったビーム偏向を完全には補正できず、また必要なコンポーネントのためにかなりの追加投資を必要とする。
【００５８】
図３は、陰極線管（ＣＲＴ）表示装置の表示スクリーン３００を示しており、ここでは電子ビームは非線形の速度で掃引している。電子ビームは、より速い速度でスタートし、スクリーン３００の左側からスクリーンの右側に掃引するにつれてスローダウンする。図３の表示スクリーン３００の下方にはビデオデータを有するビデオ信号３０２の図がある。このビデオデータは、スクリーン３００上に真っ直ぐな垂直線３０４、３０６、３０８、３１０を描くために表示装置の電子銃によって使われる。ビデオ信号１０２は、それぞれの時点３２２、３２４、３２６、３２８、３３０で時間的に等しく分けられた垂直パルス３１２、３１４、３１６、３１８、３２０によって表されるデータを送っている。ビデオ信号３０２の意図は、ライン３０４、３０６、３０８、３１０を等しい線間距離で描くように表示装置に命令することである。ビデオ信号３０２は一般に、ビデオデータ・パルス３１２、１１４、３１６、３１８、３２０が時間的に等間隔になるように、クロック方式で出力される。電子ビームの速度の非線形性の影響がなければ、ビデオ信号３０２の等時間間隔パルスは、スクリーン３００上に等間隔のラインに写像されるであろう。しかしながら、電子銃の速度の非線形性のためにビデオデータは、スクリーン３００上で等間隔に表示されない。非線形性に対する従来技術の解は、スクリーン全体に亘ってビームの速度を微調整するために、表示装置内に複雑な回路とコイルを使用することと、設備を必要とすることと、厳密なテストと再テストを行うこととを含んでいる。しかしながら、従来技術の費用と時間と努力を以てしても非線形性は未だ完全には修正されていない。
【００５９】
図５は、表示スクリーン５００における左右の糸巻歪み誤差と内側糸巻歪み誤差とを示す。糸巻歪みは、偏向ヨークの物理構造と、電子銃・スクリーン間距離と、スクリーンの曲率と、電子ビームが表示スクリーンに亘って偏向される速度との結果である。スクリーン５００の下方には、それぞれの時点５１２、５１４、５１６、５１８、５２０で時間的に等間隔の垂直パルス５０４、５０６、５０８、５１０、５１１の形のビデオデータを有するビデオ信号５０２が表されている。これらのパルス５０４、５０６、５０８、５１０、５１１は、スクリーン上で真っ直ぐな垂直線を生成するように意図されている。しかしながら表示装置の糸巻歪み効果のために、左境界線５２２と右境界線５２４は内側に湾曲する。内側の線５３２と内側の線５３４にも僅かな内側糸巻歪みがある。糸巻歪みの影響を修正するために使われる従来技術は、複雑な回路の使用を含んでいる。
【００６０】
図７は、陰極線管（ＣＲＴ）の上端／下端の糸巻歪み誤差を示す。典型的なＣＲＴの良く知られた固有の物理的電気機械的特性の結果として、スクリーン上には上端／下端の糸巻歪み効果が発生する。スクリーン７０２の上端のライン７００は、直線であることを意図している。同様に下端のライン７０４は、直線であることを意図している。スクリーン７０２の下方には、下方に湾曲した軌跡を有する上端走査線７０６の描画がある。ＣＲＴの電子ビームがこの湾曲した走査線７０６に追従すると、その結果得られるスクリーン７０２上のパターンは、真っ直ぐな水平線ではなく、湾曲したライン７０８である。
【００６１】
図９は、ＣＲＴ上のコンバーゼンス不良誤差を示す。スクリーン全体に亘って左から右に走査する赤色ラスター線９００が示されている。スクリーン全体に亘って左から右に走査する緑色ラスター線９０２が示されている。この赤色ラスター線９００は、緑色ラスター線９０２に対する斜めの線で示されている。これは、ＣＲＴの赤色ラスターとＣＲＴの緑色ラスターとの見当合わせ不良を示している。同様にスクリーンの下端部に赤色ライン９０６と緑色ライン９０４とにより見当合わせ不良が描かれている。スクリーンの図の下方には、緑色ライン９０２に隣接して掃引し、この緑色ラインに交差する赤色ライン９００の拡大図がある。赤色ライン９００は、黄色区間９０８内の緑色ラインの中央においてのみ緑色ライン９０２に収束している。スクリーン上で描かれることを意図していたパターンは、真っ直ぐな水平線であるが、ＣＲＴの赤色ラスターの見当合わせ不良のために黄色の水平線のほんの小区間が生成されるだけである。更に黄色区間９０８のどちらの側にも意図しない緑色ラインと意図しない赤色ラインとが存在する。青色ラスターの場合にも見当合わせ不良が発生する。
【００６２】
ＨＤＴＶフォーマットを表示するものを含めたカラーＣＲＴディスプレイでは、表示装置の単一の観察スクリーン上に見当合わせされた複数のラスターを形成するために３本の電子ビームが偏向される。同様に液晶ディスプレイ（ＬＣＤ）プロジェクタ、ディジタル・マイクロミラー・ディスプレイ（ＤＭＤ）プロジェクタといった他のタイプのプロジェクタの場合には、観察スクリーン上で３本の光ビームが見当合わせされる。画像を形成するときに、もしＣＲＴまたはプロジェクタが正しく動作していれば、これら３本のビームは、画像内の各点に関して同じ点に収束する。これら３本のビームが完全には収束しないと、画像内のテキストや絵柄の周りに色付きのエッジやハロー（暈）が現れる。これらのビームが観察スクリーンを正しく狙わないと、コンバーゼンス不良が発生し得る。コンバーゼンス不良は、画像の明瞭度とコントラストと解像度とを低下させる。
【００６３】
またラスター走査ＣＲＴにおけるようにインターレース走査が使用されると、表示のライン構造が目に見えるようになる。更に、低解像度のカラーディスプレイでは、個々のラスターの線は、光が生成されない箇所間の黒いギャップで分けられた赤色、緑色および青色のラインとして目視できることが多い。
【００６４】
従って、表示の解像度と明るさとを改善し、表示内の誤差を修正するための方法の必要性が存在する。
【００６５】
（発明の開示）
本発明は、一般に表示装置のビデオ画像誤差を予め修正するシステムを提供することによって前述の不都合と限界とを克服する。画像の有効な解像度と明るさは、二つ以上の位置アドレス指定可能な照射源によって観察面の各領域をオーバーラップさせる併合画像を使用して、増加させることができる。この観察面全体は、ギャップあるいは間隔なしに光を放射できる。ビデオ信号は、より高密度のアドレス空間を生成するために過度にサンプリングされ、表示あるいは観察のパースペクティブ歪みに関して修正され、人為構造のないビデオ画像を生成するように改善できる。
【００６６】
本発明は好ましくは、アドレス指定可能なスクリーン位置を有するスクリーン上に画像を生成する表示装置を含む、ビデオ画像生成用のビデオ信号表示システムを含む。本システムはまた、ディジタル化されたビデオ信号を表す画素情報を記憶するディジタル化ビデオ信号メモリと、表示装置からスクリーン情報を受け取るように構成されたビデオプロセッサ・モジュールとを含む。スクリーン情報は、スクリーン・パラメータを定義する。ビデオプロセッサ・モジュールは好適には、スクリーン・パラメータをこのスクリーン・パラメータに対応する画素情報を有する画像メモリ内のアドレスに写像するように構成される。
【００６７】
本発明はまた、スクリーン位置またはスクリーン位置に関連した時間を得るためにスクリーン情報によって指定可能な変換データテーブルを有する特徴付けモュールを含む。この特徴付けモジュールは、アドレス指定可能なスクリーン位置をビデオプロセッサ・モジュールに通知する。
【００６８】
本発明はまた、表示装置からアドレス指定可能なスクリーン位置を確定する情報を受け取ることによってビデオ画像を表示する方法を含むこともできる。本方法は更に、アドレス指定可能なスクリーン位置に対応する画素情報を検索することと、その画素情報を使ってアドレス指定可能な照射するように表示装置内の駆動することとを含む。本方法は更に、修正ビデオ画像をいつ生成すべきかを表す時間値をカウンタ・モジュールにロードすることを含んでもよい。本発明はまた、本方法を実行するためのコンピュータ読取り可能な命令を有するコンピュータ読取り可能な媒体を含んでもよい。
【００６９】
（発明を実施するための最良の形態）
本発明は、図面を参照しながら下記に詳細に説明される。図を参照するとき、全体を通じて図示される同様の構造と要素は、同様の参照数字で示される。
【００７０】
図１（ａ）は、陰極線管（ＣＲＴ）１１８表示装置のスクリーン１２０上に画像を表示するために修正された表示画像信号１１６を生成するためのシステムを示す。この修正されたビデオ信号は、さもなければＣＲＴ１１８によって引き起こされるであろう誤差を修正するように画像データのタイミングと内容とを調整する。ビデオプロセッサ・モジュール１００は、ディジタル化されたビデオ信号データを物理的スクリーン位置に写像し、修正されたディジタル画像信号１３０とそれから図６のアナログ表示画像信号６０２とを生成して、ＣＲＴ１１８によって導入された形状誤差を修正する。この写像は、ＣＲＴ１１８に亘って時間的、物理空間的に発生すると見ることができる。ビデオプロセッサ・モジュール１００は、ビデオ信号源１０２からビデオ信号をディジタル形式またはアナログ形式いずれかで受け取る。制御論理１０４は、アナログ・ディジタル変換器とディジタル化されたビデオ信号をＲＡＭバッファ１０８に送るマルチプレクサとを含んでよい。ビデオ信号源１０２は例えば、マイクロプロセッサとディジタル化されたビデオ信号データを記憶するメモリを有するグラフィック・コントローラ・カードとを有するコンピュータであってよく、またディジタル・ビジュアル・インタフェース（ＤＶＩ）接続を使用してディジタル化ビデオ信号の形でビデオ信号を送るか、あるいは標準のビデオグラフィック・アダプター（ＶＧＡ）接続を使用して従来のアナログビデオ信号の形でビデオ信号を送ることができる。ディジタル化されたビデオ信号データは、ビデオ信号の任意の２進符号化形式を含む。ディジタル化されたビデオ信号データは、タグ付き画像ファイルフォーマット（ＴＩＦＦ）とＪｏｉｎｔ  Ｐｈｏｔｏｇｒａｐｈｉｃ  Ｅｘｐｅｒｔｓ  Ｇｒｏｕｐ（ＪＰＥＧ）フォーマットとを含むがこれらに限定されない如何なるフォーマットであってもよい。ビデオ信号源１０２は、ディジタルビデオディスク（ＤＶＤ）プレーヤであってもよい。更に説明すればビデオ信号源１０２は、ビデオカセットレコーダ（ＶＣＲ）を含むことができ、あるいはテレビジョンネットワークからアナログまたはディジタルビデオ信号を受信するセットトップボックスを含むこともできるであろう。ビデオ信号源１０２は、ディジタル化ビデオ信号データの１フレーム全体を格納するフレームバッファであってもよい。代替としてビデオ信号源１０２は、ディジタル化ビデオ信号データの１ライン分だけを格納してもよい。当業者であれば、ビデオ信号源１０２が、ディジタル化ビデオ信号のデータを何本分格納できてもよいことを理解するであろう。
【００７１】
図１（ａ）に示すように、本発明の一実施例ではビデオ画像プロセッサ・モジュール１００は、通信チャネル１０３を介してビデオ信号源１０２と通信可能である。ビデオプロセッサ・モジュール１００内の制御論理１０４は、チャネル１０３を介してビデオ信号源１０２からビデオ信号を受信する。それから制御論理１０４は、ビデオ信号を処理する。制御論理１０４は、アナログ・ディジタル変換器と、先ずビデオ入力タイプを選択してそれからディジタル化ビデオ信号をＲＡＭバッファ１０８に送るマルチプレクサとを含んでよい。処理は、コネクタ１０６を介して画像データの一部をＲＡＭバッファ１０８に格納することを含むこともできる。ＲＡＭバッファ１０８は、ディジタル化ビデオ信号データおよび／またはプロセッサ１００の動作に必要な他の任意のタイプのプログラム・データを格納する。コネクタ１０６は、ＲＡＭバッファ１０８にアドレスデータを供給するので、制御論理１０４は、画像データとプログラムデータとをＲＡＭバッファ１０８から読み取ったり書き込んだりできる。ディジタル化ビデオ信号データはまた、ＲＡＭバッファ１０８からコネクタ１０６を介して制御論理１０４に送信することもできる。クロック・処理モジュール１１２は、コネクタ１１０を介してＲＡＭバッファ１０８と通信可能である。クロック・処理モジュール１１２はまた、コネクタ１２４を介して制御論理１０４と通信可能である。
【００７２】
電子銃制御モジュール１１４は、増幅されてＣＲＴ１１８の電子銃に印加される修正済み表示画像信号１１６の振幅と利得とを変調する。電子銃制御モジュール１１４は、ディジタル画像信号１３０をアナログ表示画像信号に変換するためのディジタル・アナログ変換器（ＤＡＣ）を含んでいる。電子銃制御モジュール１１４は、電圧信号をディジタル画像信号１３０データで変調することによってディジタル画像信号１３０データを修正済みアナログビデオ表示画像信号１１６に変換するように動作する。
【００７３】
ＣＲＴ１１８は、スクリーン１２０上でアドレス指定可能な照明要素を照射するように電子ビームが偏向されるスクリーン１２０を有する。アドレス指定可能な照明要素は、電子ビームによって励起され、応答して照明する蛍光体ドットであり得る。スクリーン１２０上の照明要素の配列は、スクリーン１２０上に生成されるビデオ画像を構成するピクチャエレメント（画素）を定義する。ＣＲＴ１１８は、スクリーン１２０上に画像を生成するためにスクリーン１２０に向けてビームを発射するための一つ以上の照射源を有する。例えば一実施例では照射源は、スクリーン１２０に電子ビームを発射する単一の電子銃であってもよい。他の実施例では、３本の電子銃が３本の電子ビームを発射し、各電子ビームはスクリーン１２０の赤、緑、青のいずれかの蛍光体ドットを照射する。典型的には一つまたは複数の電子ビームは、スクリーン１２０上で電子ビームを左から右へ、また上下に動かす磁場を生成する、ＣＲＴ１１８内のコイル１１９によって偏向される。電子銃制御モジュール１１４は、電子銃のためのバイアスと駆動を調整するために増幅されて電子銃に印加されるビデオ信号出力１１６を生成する。電子銃のバイアスと駆動の調整は、スクリーン１２０上の物理位置全体に亘ってビームが時間的に移動するにつれて電子ビームの強度が変化するようにする。
【００７４】
図１（ａ）に示す本発明の一実施例では、制御論理１０４は、ＣＲＴ１１８上のセンサ１２１から信号を受け取る。このセンサ１２１は、電子ビームの物理的スクリーン位置を感知する光センサであり得る。センサはまた、ＣＲＴ内の電流を感知して、ビーム位置の関数である信号を生成するヨーク電流センサであることも可能である。センサ１２１としては、ビームのスクリーン位置を検知する検出装置であれば如何なる装置でも使用できる。センサ１２１からの信号は、電子ビームの物理的スクリーン位置の関数である電圧レベルを持っている。センサからの信号は、この物理的スクリーン位置に対応するＲＡＭバッファ１０８の画像メモリ内のアドレスを決定するために制御論理１０４によって使われる。制御論理１０４は、この信号を特徴付けモジュール１２６に送り、このモジュールは物理的スクリーン位置を表す値を検索するために修正係数データテーブルを索引指示する。この特徴付けモジュール１２６は、物理的スクリーン位置を表す値を制御論理１０４に送り返し、制御論理はこの値をコネクタ１２４を介してクロック・処理モジュール１１２に送る。クロック・処理モジュール１１２は、物理的スクリーン位置を表すこの値を使ってＲＡＭバッファ１０８をアドレス指定し、電子銃制御回路１１４に送られる修正済み表示画像データを生成する。修正済み物理アドレスは、制御論理１０４に送られ、制御論理はこの修正済み物理アドレスに対応する画像データを探索する。制御論理１０４は、対応する画像情報を検索し、この情報は電子銃制御回路１１４に送られる。電子銃制御回路１１４は、この画像情報を使って、修正済み表示画像信号１１６を生成するように信号を変調する。本実施例のシステムは、閉ループ制御システムと見ることができ、このシステムではビーム位置はビデオ処理モジュール１００に送られ、このモジュールは修正済み表示画像信号１１６を生成し、この信号は、ＣＲＴ１１８にフィードバックされて電子ビームの強度の調整を行わせる。
【００７５】
図１（ｂ）に示す代替の実施例は、特徴付けモジュール１２６が画素の時間長さを表す値を記憶している開ループシステムである。画素時間長は、観察スクリーン１２０上で一つの画素から次の画素にビームを移動させるために掛かる時間である。経過時間によって特徴付けモジュール１２６は、走査ビームの速度の非線形性を修正するために次の画素が何時表示されるべきかを表す時間値を調べることができる。特徴付けモジュール１２６は、米国特許第６，０１４，１６８号に記載されているように表示装置が製造されるときに、構成されて経過時間と画素時間の情報をロードされることができる。ビデオ処理モジュール１００は、特徴付けモジュール１２６から画素時間情報を受け取って、その画素時間値をカウンタ・モジュール１２７にセットすることができる。それからこのカウンタ・モジュール１２７は、この画素時間からカウントダウンするであろう。本実施例ではカウンタ・モジュール１２７がゼロになると、ビデオ信号は次の画素情報で変調される。
【００７６】
カウンタ・モジュール１２７がカウントダウンしている間、ビデオ処理モジュール１００のクロック・処理モジュール１１２は、次の物理的スクリーン位置の次の画素に対応する画素データを検索する。この方法の効果は、ＣＲＴの非線形性にしたがってビデオ信号情報が変化する時を時間的に調整することである。走査時間の非線形性は、特徴付けモジュール１２６内に組み込まれる。特徴付けモジュール１２６によって与えられる画素時間データは、いつビデオ処理モジュール１００が画素データを変化させて修正済み表示画素信号１１６を送信するかを指示する。本実施例は、開ループシステムと見ることができ、このシステムでは特徴付けモジュール１２６は、ＣＲＴの走査ビームの時間位置と、同期をとるべき修正済み表示画像信号１１６の調整とを考慮したデータを格納する。
【００７７】
図２は、本発明の一実施例にしたがって構成されたモニタ２００を示す概略ブロック図である。モニタ２００は、陰極線管２０２と、一連の偏向・制御捲線２０４と、これらのコイル２０４に接続された特徴付けモジュール２０６と、垂直制御回路２０８と、電子銃制御回路２１０と、水平制御回路２１２とを含んでいる。特徴付けモジュール２０６には、水平同期信号２１４と垂直同期信号２１６とが印加される。特徴付けモジュール２０６は、ＣＲＴの所望の特性を表すＣＲＴ特性データを有する修正係数データテーブルを有する。特徴付けモジュール２０６は、ビデオプロセッサ・モジュール２３０に印加される出力２２８を生成する。出力２２８からのデータを使ってビデオプロセッサ・モジュール２３０は、予め修正されたビデオ画像信号２１８を生成し、この信号は電子銃制御回路２１０に送信される。垂直制御回路２０８は、コネクタ２２２によってコイル２０４に印加されるドライバ信号を生成する。電子銃制御回路２１０は、ＣＲＴのスクリーンに画像を生成するための電子ビームを投射するために陰極線２１０の電子銃に印加されるビデオ信号２２４を生成する。水平制御回路２１２は、コネクタ２２６を介してコイル２０４に接続されるドライバ信号を生成する。特徴付けモジュール２０６は、不揮発性メモリとプロセッサと修正・ドライバ回路（図示せず）とを含むことができる。
【００７８】
動作に際して図２のモニタ２００は、特徴付けモジュール２０６内のＥＥＰＲＯＭといった装置に修正係数データを格納させる。特徴付けモジュールは、出力２２８を介してビデオプロセッサ・モジュールに通知される修正係数信号２２８を生成する。特徴付けモジュール２０６に格納された修正係数データは、米国特許第６，０１４，１６８号に記載されたようなシステムを使用する陰極線管製造施設に起因する特定の陰極線管２０２の歪み特性を示す。特徴付けモジュール２０６はまた、ＣＲＴパラメータデータを含むことができ、このデータは、次の特許が教示し開示するすべてに関して参照によってここに組み込まれている、「自動精密ビデオモニタ調整システム（Ａｕｔｏｍａｔｉｃ  Ｐｒｅｃｉｓｉｏｎ  Ｖｉｄｅｏ  Ｍｏｎｉｔｏｒ  Ａｌｉｎｇｎｍｅｎｔ  Ｓｙｓｔｅｍ」」と題する、Ｊａｍｅｓ  Ｒ．Ｗｅｂｂらに発行された米国特許第５，２１６，５０４号に記載されたシステムを使って生成できる。特徴付けモジュール２０６の種々のコンポーネントは、修正係数データを読み取って、表示されるビデオ画像のための所望の仕様に関するスクリーン・パラメータを生成する。生成された仕様は、電子ビームがスクリーンに亘って掃引する際の電子ビームの速度の非線形性といった物理特性に関係している。例えば特徴付けモジュール２０６は、電子ビームがスクリーン上の各隣接画素を通過して掃引するために必要とされる時間を表す値を記憶することもできる。
【００７９】
図２にも示すように、修正パラメータ信号２２８が生成されてビデオ処理モジュール２３０に送られる。ビデオ処理モジュールは、特徴付けモジュールからのパラメータを使って修正済みビデオ画像信号２１８を生成し、この信号は電子銃制御回路２１０に送信される。この修正済みビデオ画像信号２１８は、陰極線管２０２の所望の仕様を満足させるように電子ビームの位置に対応するディジタルビデオ信号データで信号を変調することによって、陰極線管における歪みを修正する。
【００８０】
図４は、本発明の一実施例による非線形性誤差を修正する予め修正された画像を有する表示スクリーンを示す。非線形性誤差は、電子ビームが図１の観察スクリーン１２０といったスクリーンに亘って掃引するときの電子ビームの加速または減速によって引き起こされる。図４は、図１（ａ）の陰極線管１１８といった表示装置によってスクリーン上に表示される画像を有するスクリーン４００を示している。画像は、スクリーン４００に亘って左から右へ等間隔に配置された垂直ライン４０２、４０４、４０６、４０８、４１０から構成される。ＣＲＴ１１８内の電子銃といった照射源は、画像を生成するためにスクリーン４００上に電子ビームといった照射ビームを投射する。電子銃は、電子銃によって運ばれた電子に撃たれることに応答して励起されて点灯する蛍光体ドットを被覆されたスクリーン４００の背面に電子ビームを発射する。電子銃は予め修正されたビデオ信号４１１によって表されるビデオ信号によって駆動される。
【００８１】
予め修正されたビデオ信号は、時間４２２、４２３、４２５、４２７、４２９の時点で送信されるパルス４１２、４１４、４１６、４１８、４２０を含む。図４の実施例のビデオパルス４１２、４１４、４１６、４１８、４２０は、スクリーン４００上の画像に関する画素情報を含んでいる。もしビデオ信号４１１が時間的に予め修正されていなければ、パルス４１２、４１４、４１６、４１８、４２０は、時間４２２、４２４、４２６、４２８、４３０の時点で位置決めされたであろう。しかしながら図３に示すように、電子ビームは、スクリーンに亘って非線形の速度で走行するので、移行時間４２４、４２６、４２８ではビデオパルス４１４、４１６、４１８は電子銃によって余りに遅く受信されたであろう。図１のシステムを使用してパルス４１２、４１４、４１６、４１８、４２０が送られる時刻４１２、４１４、４１６、４１８、４２０は、ビームの走査速度の非線形性を調整する。パルス４１２、４１４、４１６、４１８、４２０のタイミングに対して行われるこの調整は、図１（ｂ）の特徴付けモジュール１０６内の修正係数データテーブルのタイミングデータを使って行われる。ＣＲＴが製造される場合、ＣＲＴの特性データは、所望のＣＲＴ仕様にしたがって表示画像を調整するために特徴付けモジュール１０６に格納される。例えばビーム走査速度の特性データのより高いまたはより低い値は、スクリーン４００に亘って画像を多少とも均一に表示するために特徴付けモジュール内に格納することができる。図１のビデオプロセッサ・モジュール１００といったビデオプロセッサ・モジュールは、ビデオ信号４１１を生成して、陰極線管（ＣＲＴ）内の電子銃に送信する。図４の実施例は白黒画像を描いているが、カラーＣＲＴを使用する実施例では画像は如何なるカラーにもなり得ることを理解すべきである。カラーＣＲＴの実施例では、赤、緑、青の三原色の各々についてビデオ信号が存在する。カラーＣＲＴ実施例におけるビデオ信号の各々は、３本の電子銃の中の一つを駆動する。
【００８２】
図６は、本発明の一実施例による左右および内側糸巻歪み誤差を修正する予め修正された画像を有する表示スクリーンを示す。図６は、画像を表示する表示スクリーン６００を示している。表示スクリーン６００上の画像は、図１（ｂ）のＣＲＴ１１８といったＣＲＴ内の電子銃によって生成された電子ビームによって生成される。電子銃は、一連の画像データパルス６０４、６０６、６０８、６１０、６１１を有する修正済みビデオ信号６０２によって表されるビデオ信号を受け取る。画像データパルス６０４、６０６、６０８、６１０、６１１は、等間隔の時間単位６１２、６１４、６１６、６１８、６２０に対して時間的に間隔を置いている。修正済みビデオ信号６０２は、図１（ｂ）の実施例のビデオプロセッサ・モジュール１００によって時間的に修正される。図１（ｂ）の実施例ではビデオプロセッサ・モジュール１００は、特徴付けモジュール１２６から時間データを受け取り、この時間データを使って電子銃制御回路１１４がいつ画素データを送信するかを調整する。例えば画像データパルス６０４は、時間単位６１２に先立って時間的に垂直帰線期間の中間に位置決めされる。パルス６０４は、事前修正なしの場合に到着するはずの時間よりも前に電子銃に到着する。パルス６０４のより早い受信に応答して電子銃は、垂直線６２２を生成するビームを発射する。図５に示す内側糸巻歪み誤差を修正するために画像パルス６０６は、垂直ライン６３２が画像内に生成されるように時間単位６１４より前に時間的に位置決めされる。パルス６０６が送られる時と時間単位６１４との間の時間差は、特徴付けモジュール１２６の修正係数データによって指示される。前に論じたように、特徴付けモジュール１２６の修正係数データは、ＣＲＴ上の物理的スクリーン位置に関連した時間値を計算することによって生成される。画像の中央の垂直線を生成するために時刻６１６に画像パルス６０８が送信される。パルス６１０が事前修正なしの場合に送られるはずの時刻である時刻６１８より後に画像パルス６１０を送ることによって、垂直線６３４が生成されて、さもなければ図５に示すような結果になるであろう内側糸巻歪みを修正している。同様にＣＲＴの糸巻歪み効果を調整するために画像パルス６１１は、時刻６２０に対して遅れている。画像パルス６１１を遅らせることによって、垂直ライン６２４は、スクリーン６００の右側に生成される。
【００８３】
図８は、本発明の好適な実施例による上端／下端の糸巻歪みに対する事前整経の解を示す。図８は、スクリーン８０１の上端部に直線８００とスクリーンの下端部に直線８０２とを有するＣＲＴスクリーンを示す。図８に描かれたスクリーンの下方には直線８００を引くために使われる３本の走査線８０４、８０６、８０８が表されている。電子ビームが走査線８０４に沿って動くにつれて、電子ビームのスクリーン位置に関する情報は、ＣＲＴからビデオ処理モジュールに送信される。電子ビームの位置を決定する幾つかの手法がある。一つの方法は、電子ビームの位置を感知する光センサをＣＲＴに取り付けることである。もう一つの方法は、ＣＲＴのコイルの電流を感知するヨーク電流センサをＣＲＴのヨークに取り付けることである。光センサまたはヨーク電流センサは、ビーム位置のある関数である信号を生成することができる。一実施例ではこの信号は、ビーム位置に比例する。代替の実施例では電子ビーム位置を追跡するためにセンサは使われず、むしろビーム位置は、時間と他の表示制御設定値との関数として特徴付けられ、決定される。センサが第１の実施例のように使用されると、これは閉ループ・フィードバック制御システムと見ることができる。センサが使用されないで電子ビーム位置が時間と表示制御設定値との関数として計算されると、これは開ループ・システムと見ることができる。電子ビームがスクリーン８０１に亘って掃引する際のアドレス指定可能なスクリーン位置を決定するために、他の如何なる機構を使用してもよい。ビデオプロセッサ・モジュール１００は、センサから電子ビーム位置情報を受け取り、その情報を使ってビームの物理的スクリーン位置を決定する。それからビデオプロセッサ・モジュール１００は、その物理的スクリーン位置情報を使って、そのスクリーン位置に対応する画像メモリアドレスから画素情報を検索する。
【００８４】
図８の電子ビームが走査線８０４に沿って走査するとき、ビデオプロセッサ・モジュール１００は、上述のように電子ビームの位置を決定して、その位置に対応する画素情報を検索する。走査線８０４の左端ではその位置に関連した画素情報は、実線を示すように最大強度、典型的には２５５である。最大強度の画素情報は、電子銃に送信されるビデオ信号を変調するために使われる。このビデオ信号は、区間８１０の最大強度ビームを送信するように電子銃を駆動する。同様に電子ビームが走査線８０６に沿って移動するにつれて、ビームのスクリーン位置に関する情報は、ビデオプロセッサ・モジュールがアドレス指定可能なスクリーン位置を決定できるように、このビデオプロセッサに送られる。電子ビームは区間８１２を通って移動し、画像メモリ内の対応する画素情報は２５５であって、実線を示している。画素情報は、電子銃が区間８１２の実線を描くために最大強度で発射するように電子銃に送られるビデオ信号を変調するために使用される。走査線８０６が区間８１６を通って移動するとき、ビデオプロセッサ・モジュールは、画像メモリ内の対応する画素情報を捜し当てる。区間８１６に沿って、この対応する画素情報は、最大強度ビームに対応する２５５という値を示す。この画素情報は、電子銃が目に見える実線を生成するために区間８１６において最大強度でビームを発射するように電子銃に通知されるビデオ信号を変調するために使用される。同様に電子ビームが走査線８０８に沿って走行するときに、位置情報は、ビデオプロセッサ・モジュール１００が電子ビームのアドレス指定可能なスクリーン位置を決定できるように、このビデオプロセッサ・モジュール１００に通知される。電子ビームが区間８１４に入ると、ビデオプロセッサ・モジュール１００は、その区間８１４で電子ビームを駆動するために使われる対応する画素情報を検索する。区間８１４では、この画素情報は実線を示す２５５である。従って、図８の実施例では１本の直線を引くために３本の走査線が使われる。８０２を引くためには、電子ビームが複数の走査線に沿って走行しながら適当な時点で電子ビームをオン／オフするためにビーム位置決定および画素情報指示の同様な方法が利用される。
【００８５】
図１０は、本発明の一実施例によるコンバーゼンス不良を修正する予め修正された画像を表示する表示スクリーンを示す。図１０は、スクリーン１００１の上端に黄色の上端水平線１０００とスクリーン１００１の下端に亘って伸びる黄色の下端水平線１００２とを有するＣＲＴ（図１（ａ）のＣＲＴ１１８のような）上の矩形スクリーン１００１を表している。スクリーンの図の下方には、一連のラスター線１００４が在る。この図では、赤色ラスターは、緑色ラスターに関して見当合わせ不良になっていると仮定している。従って、赤色走査線１００６は、左から右へ斜めに掃引するが、これに対して緑色走査線１００７は、左から右へ水平に掃引する。同様に赤色走査線１００８と赤色走査線１０１０は、緑色走査線に対して左から右へ斜めに掃引する。この実施例では、緑色走査線１０１１と、赤色走査線１００６と赤色走査線１００８と赤色走査線１０１０のそれぞれの区間とは、黄色の画像パターン１０１２を生成するために使われる。緑色走査線１０１１は、緑色走査線１００７に平行であって、黄色の画像線１０１２によって観察から隠されている。緑色走査１０１１は複数のスクリーン位置で複数の画素に跨がっている。黄色の画像パターン１０１２は、緑色走査線１０１１と赤色走査線１００６、１００８、１０１０の区間とから生成される水平線である。
【００８６】
一実施例では赤色走査線が左から右へ掃引するにつれてＣＲＴ上のセンサは、信号をビデオプロセッサ・モジュール１００に送信する。センサ信号は、スクリーン位置を確定する情報を持っている。センサ信号内の情報は、ビームがＣＲＴスクリーンに亘って掃引する際のビーム位置の関数であり得る。この実施例ではこの信号は、ビーム位置に比例する。ビデオプロセッサ・モジュール１００は、この信号の情報を使って赤色ビーム１００６に関するアドレス指定可能なスクリーン位置を決定できる。一実施例ではビデオプロセッサ・モジュール１００は、アドレス指定可能なスクリーン位置を得るためにセンサ情報を特徴付けモジュールに通知する。特徴付けモジュールは、アドレス指定可能なスクリーン位置を検索するために、このセンサ情報を使って修正係数データテーブルを索引指示できる。それから特徴付けモジュールは、このアドレス指定可能なスクリーン位置をビデオプロセッサ・モジュール１００に通知する。ビデオプロセッサ・モジュール１００は、このアドレス指定可能なスクリーン位置を使ってディジタル化ビデオ信号メモリから対応する画素データを検索する。カラー・スクリーン上にカラービデオ画像を有する実施例では、各々がその画像内の赤色、緑色、青色の何れかに関する画像データを記憶する３個のビデオ信号源（図１（ａ）の１０２）が存在する可能性がある。代替としてメモリの各セクションが赤、緑、青の画像データを有するメモリの３セクションを有する単一のビデオ信号源１０２が存在することも可能である。
【００８７】
黄色の水平線１０１２は、緑色水平ラスター線１０１１に沿って引かれることを意図している。赤色走査線１００６が左から右へ進につれて、ビデオプロセッサ・モジュール１００は、ＣＲＴセンサからスクリーン位置情報を受け取って、赤色画像メモリ（図１（ａ）のビデオ信号源１０２といった）内の対応するアドレスを決定する。赤色走査線１００６の左側に対応するアドレス指定可能なスクリーン位置は、電子ビームを発射すべきでないことを示すゼロという赤色画像データを有する画像メモリアドレスに対応する。赤色走査線１００６が緑色走査線１０１１の跨がる画素に入ると、そのスクリーン位置に対応する画像メモリアドレスは、対応する画素情報を検索するためにアクセスされる。ビデオプロセッサ・モジュール１００は、この対応する画素情報を使って、赤色電子ビームに伝達される赤色ビデオ信号を生成する。この赤色ビデオ信号は、赤色電子ビームが緑色電子ビームに収束するときに黄色が生成されるように、最大赤色強度レベルで発射するように赤色電子ビームに命令する。同様に赤色走査線１００８がスクリーン１００１に亘って斜めに掃引するとき、ビデオプロセッサ・モジュール１００は、赤色電子ビームの位置を受け取って、アドレス指定可能なスクリーン位置を決定する。赤色走査線１００８のアドレス指定可能なスクリーン位置が緑色走査線３の跨がる画素を含むと、ビデオプロセッサ・モジュール１００は、そのアドレス指定可能なスクリーン位置に対応する画像メモリから非ゼロ・データを検索する。ビデオプロセッサ・モジュール１００は、この非ゼロの画素情報を使って、緑色走査線１０１１に沿って黄色線１０１２の黄色区間を生成するために最大強度で赤色電子銃を駆動する赤色ビデオ信号を生成する。赤色走査線１００８が緑色ライン３からラスター線４に進んでいるとき、ビデオプロセッサ・モジュール１００は、最大強度で赤色電子ビームを駆動し続ける。赤色走査線１００８が緑色走査線１０１１の跨がるスクリーン位置に交差すると、赤色画像メモリ内の情報はゼロになる。従って、ビデオプロセッサ・モジュール１００は、その最低強度で動作するように赤色電子ビームを構成する赤色ビデオ信号を生成する。言い換えれば、赤色走査線１００８は、黄色の画像線１０１２の境界の外でオフになる。次の赤色走査線１０１０は、黄色の水平線１０１２の左側を生成するために使用される。赤色走査線１０１０が左から右へ進につれてビデオプロセッサ・ジュール１００は、アドレス指定可能なスクリーン位置に対応する赤色画像メモリから画素情報を検索する。
【００８８】
赤色走査線１０１０は、緑色走査線１０１１の左エッジから始まり、スクリーン１００１に亘って斜めに掃引する。緑色走査線１００１の跨がるスクリーン位置では、赤色画像メモリ内の対応する画素情報は、最大値であり、この値は、その区間の赤色走査ビームの最大強度を示す、典型的には２５５である。最大強度画素値は、電子ビームが緑色走査線の跨がる領域を走査するときその電子ビームが最大強度で発射されるように、赤色電子銃に対する赤色ビデオ信号を変調するために使用される。従って、緑色走査線１０１１の跨がるスクリーン位置では、赤色電子銃は最大強度で発射する。その結果、赤色ビームは、緑色走査ビームに収束して、黄色の水平線１０１２を生成する。見られるように３本の赤色走査線１００６、１００８、１０１０のそれぞれの区間は、黄色の水平線１０１２を生成するために使用される。赤色画像メモリ内の対応するアドレスに対する赤色ビーム銃の異なる区間の跨がるスクリーン位置によって、赤色ビームは、適当な時点でオンにされる。赤色電子銃と緑色電子銃との見当合わせ不良は、ビームがスクリーン１００１の何処にあるかに基づいて画像メモリから検索された正しい画像情報の故にコンバーゼンス不良という結果にはならない。当業者であれば、ビデオ画像メモリデータの最小バッファサイズは１画像ラインを生成するためにラスター線の一つより多い区間を使用することをビデオ信号源１０２で要求されるであろうことを理解するであろう。画像データのこの最小バッファは、最大歪みが必要ラスター線の数を決定するので、ＣＲＴヨーク偏向の最大歪みに関係している。テストは、一般にスクリーンの垂直帰線期間の２パーセントのために十分な画像データを格納する画像バッファで十分であることを示した。
【００８９】
図１１は、本発明の一例示的実施形態で画像を描画する走査ビーム線を有する表示スクリーンの一部分の概略図である。表示スクリーン１１００は、画像線のライン１（１１０４）、ライン２（１１０６）、ライン３（１１０８）、ライン４（１１１０）を有する画像１１０２を表示する。ライン１（１１０４）は、見えない線として示されている。言い換えれば、ライン１（１１０４）に沿って目視可能な画像パターンは存在しない。同様にライン２（１１０６）は、画像パターンを持たない見えない線である。ライン３（１１０８）は、画像１１０２の左側から画像１１０２の右側に伸びる水平線の形をした目視可能な画像パターンを持っている。ライン４（１１１０）は、目視可能な画像パターンを持たないもう一つの画像線である。図１１には、走査ビームライン１１１２、１１１４、１１１６、１１１８も示されている。走査ビームライン１１１２は、スクリーンに亘って移動しながら電子銃（図示せず）から発射される電子ビームの軌跡を描いている。走査ビームライン１１１４は、スクリーンに亘って斜めに掃引する電子ビームのもう一つの軌跡を描いている。同様に走査ビームライン１１１６、１１１８は、スクリーンに亘って前後に掃引するときの電子ビームの斜めの軌跡を描いている。図１２に示すように走査ビームライン１１１２、１１１４、１１１６、１１１８はスクリーン１１００に亘って前後に掃引するので、画像１１０２がスクリーン１１００上で描かれると想定される場所に依存してオン／オフされる。
【００９０】
図１２は、本発明の一例示的実施形態において対応する画像メモリアドレスに写像される物理的スクリーン位置の概略図である。図１２において図１１からの画像ライン２（１１０６）と画像ライン３（１１０８）は、拡大されている。電子ビームが画像ライン２（１１０６）と画像ライン３（１１０８）とを通過する時の電子ビームの軌跡の拡大図を示す４本の走査線１１１２、１１１４、１１１６、１１１８も示されている。前に論じたように電子ビームは、画像がスクリーン上のどこに位置するかに依存して種々の強度に変調される。スクリーン上の画像の位置は、画像メモリ１２１０内の画像１１０２を表すデータによって定義される。アドレス指定可能なスクリーン位置１２００は、電子ビームがスクリーン１１００に衝突する物理的スクリーン位置である。例示的なアドレス指定可能なスクリーン位置１２０２、１２０４も示されている。画像メモリ１２１０は、メモリ内のアドレス指定可能な位置に画素データ１２１２を格納する。ビデオ信号を変調するために画素データ１２１２、１２１４、１２１６が使われ、この信号は、電子ビームがスクリーン１１００を走査するとき電子銃が電子ビームを発射するように電子銃を駆動する。
【００９１】
図１２では電子ビームは走査線１１１６に追従するので、電子ビームは物理的スクリーン位置１２００を通る。物理的スクリーン位置１２００は、描画される画像１１０２上の画素と考えることができる。画素データ１２１２は、画像メモリ１２１０内の物理的スクリーン位置１２００に対応している。物理的スクリーン位置１２００に関する情報は、対応する画像データ１２１２を有する画像メモリ１２１０内の対応するアドレスを決定するビデオプロセッサ・モジュール１００に送信される。ビデオプロセッサ・モジュール１００は、特徴付けモジュール１２６をアクセスすることによって、それに送られた情報を使って物理的スクリーン位置１２００を決定する。ビデオプロセッサ・モジュール１００は、物理的スクリーン位置１２００に関する情報を特徴付けモジュール１２６に送り、このモジュールはその情報を使って、物理的スクリーン位置データを有する修正係数データテーブルに索引指示を行う。特徴付けモジュール１２６は、物理的スクリーン位置を計算できるビデオプロセッサ・モジュール１００に物理的スクリーン位置データを送る。特徴付けモジュールは、ビデオプロセッサ・モジュール１００が如何なる追加の計算の実行も必要としないように物理的スクリーン位置１２００を送ることができる。ビデオプロセッサ・モジュール１００が物理的スクリーン位置１２００を受信した後にビデオプロセッサ・モジュール１００は、対応する画像メモリアドレスを捜し当てることができる。
【００９２】
図１２において画像データ１２１４は、物理的スクリーン位置１２００に対応している。ビデオプロセッサ・モジュール１００は、画像メモリ１２１０の基本アドレスと画像の解像度とスクリーンの解像度とに基づいた画像データ１２１４を有するアドレスを決定する。ビデオプロセッサ・モジュール１００は、画像データ１２１４を検索し、それを使ってＣＲＴ内の電子銃に送られるビデオ信号を変調する。画像データ１２１４はゼロであって、電子ビームが物理的スクリーン位置１２００を照射すべきでないことを意味している。従って、物理的スクリーン位置１２００におけるライン１１１６上では電子ビームは、物理的スクリーン位置１２００を照射しない。電子ビームは、走査線１１１６によって定義された経路に沿って続いており、ビームが物理的スクリーン位置１２０１に達すると、その物理的スクリーン位置１２０１に関するデータがビデオプロセッサ・モジュール１００に送られる。ビデオプロセッサ・モジュール１００は、それが画像メモリ１２１０内の対応する画像データ１２１２を探索できるように物理的スクリーン位置１２００を決定する。画像データ１２１２の１単位は、画像の解像度とモニタの解像度とに依存して、二つ以上の物理的スクリーン位置に対応できる。画素データ１２１４は、物理的スクリーン位置１２０１に関して検索される。電子ビームは、対応する画像データ１２１４が最低強度ビームレベルを示すゼロであるので、物理的スクリーン位置１２０２ではスクリーンを照射しない。更に説明すると、電子ビームは走査線１１１８に追従するので、この電子ビームは物理的スクリーン位置１２０４を通る。ビデオプロセッサ・モジュール１００は、この物理的スクリーン位置１２０４に関する情報を受け取って、画像メモリ１２１０内の対応するアドレスを決定する。
【００９３】
図１２で、決定されたアドレスは、その中に画像データ１２１６を格納している。ビデオプロセッサ・モジュール１００は、この画像データ１２１６を使って、ＣＲＴの電子銃に送られるビデオ信号を変調する。図１２に示すように画像データ１２１６は、その物理的スクリーン位置で最大強度ビームレベルを示す２５５という値を持っている。従って、この電子ビームは、ビデオプロセッサ・モジュール１００から受信したビデオ信号に応じて物理的スクリーン位置１２０４にスクリーンを照射する。更に説明を進めれば、電子ビームが走査線１１１８に沿って走行し続けると、その電子ビームは物理的スクリーン位置１２０２を通る。ビデオプロセッサ・モジュール１００は、物理的スクリーン位置１２０２に対応する画像メモリ内アドレス１２１０を決定する。１２０２という物理的スクリーン位置は、画像データ１２１８を保持するアドレス・メモリ１２１０に対応している。画像データ１２１８は、この対応する物理的スクリーン位置１２０２が照射されるべきであることを示す２５５と言う値を持っている。電子ビームが走査線１１１２、１１１４、１１１６、１１１８に沿って走行しながら、画像データ１２１２は、前述の方法と類似の仕方で画像メモリ１２１０から検索され、それによって画像１１０２または図１１がスクリーン１１０２上に生成される。
【００９４】
図１２の実施例では、表示スクリーンの解像度とディジタル画像の解像度とによっては、スクリーン位置に関連した対応する画像メモリアドレスが存在しないことがある。ビデオプロセッサ・モジュール１００は、対応する画素データを有する対応する画像メモリアドレスが存在するかどうかを決定する。もし対応する画像メモリアドレスが見つからなければ、ビデオプロセッサ・モジュール１００は、併合された画素を生成することによって画素データを決定するように構成された解像度向上モジュールを有する。この併合された画素データは、そのスクリーン位置に隣接する画素に関する画素値の関数である。この隣接画素の関数は、一次補間、二次補間、あるいはビデオプロセッサ・モジュールまたは表示スクリーンの仕様を最適化する他の如何なる関数を含むこともできる。例えばもし処理時間が制限されなければ、二次補間は最適化された解像度または明るさを有する画像を与えるために実用的であり得る。もしビデオプロセッサ・モジュール１００が集積回路として実現されていれば、処理時間は実用上の関心事にならない可能性がある。これに対してもしプロセッサ時間が心配であれば、隣接画素の関数は、隣接画素の値に等しい併合画素値を設定することを含むことができる。従って、併合画素を生成するために使われる関数は、画像品質を向上させるか、またはシステムを最適化するように変更できる。補間手法は、「二次補間のための方法と装置（Ｍｅｔｈｏｄ  ａｎｄ  Ａｐｐａｒａｔｕｓ  ｆｏｒ  Ｑｕａｄｒａｔｉｃ  Ｉｎｔｅｒｐｏｌａｔｉｏｎ」」と題する、Ｌａｎｃｅ  Ｇｒｅｇｇａｉｎに発行された米国特許第５，３７９，２４１号に論じられており、この特許はそれが教え開示するすべてに関して参照によってここに組み入れられている。
【００９５】
図１３は、修正済みビデオ画像信号を生成する方法を示す流れ制御図を示す。制御は最初に開始動作１３００に移り、ここで初期設定処理が始まり、システムが起動する。それから制御は受信動作１３０２に移り、ここでビデオプロセッサ・モジュールがＣＲＴからパラメータ的スクリーン情報を受信する。パラメータ的スクリーン情報は、電子ビームがスクリーン上の１画素を掃引する持続時間を示す時間値であり得る。このパラメータ的情報は、ビデオプロセッサ・モジュールが電子ビームの位置を決定するために使用できるスクリーン位置情報でもあり得る。パラメータ的情報は、米国特許第６，０１４，１６８号に記載のように、特徴付けモジュールに格納された陰極線管の所望の仕様に関する他の如何なる情報をも含むことができるであろう。それから制御は、設定動作１３０６に移り、ここでビデオプロセッサ・モジュールは、電子ビームが一つのスクリーン位置から他のスクリーン位置へ走行するための持続時間を表す値をカウンタ・モジュール１２７（図１（ｂ））にセットする。それからこのカウンタは、カウントダウンを開始し、それがゼロに到達するとカウンタは修正済みビデオ画像信号を送るように指示する。動作１３０６でカウンタ・モジュールがセットされた後に、制御は決定動作１３０４に移り、ここでビデオプロセッサ・モジュールは、スクリーン位置に対応する画像メモリアドレスを決定する。この画像メモリアドレスは、そのスクリーン位置に対応する２進符号化画素データを持っている。対応する画像メモリアドレスが動作１３０４で決定された後に、制御は検索動作１３０８に移る。検索動作１３０８では、前に決定された画像メモリアドレスから画素データが検索される。
【００９６】
スクリーンの解像度と画像の解像度とによっては、スクリーン位置に関して対応する画像メモリアドレスが存在しないこともある。もし対応する画像メモリアドレスが見つからなければ、検索動作１３０８でそのスクリーン位置に隣接する複数の画素に関する画素データが画像メモリから検索される。それから制御は生成動作１３０９に移り、ここで複数の隣接画素のために検索された画素データを使ってそのスクリーン位置に関する併合画素データが生成される。解像度向上モジュールは、図１（ｂ）のビデオプロセッサ・モジュール１００に含ませることができ、また併合画素データを生成するように構成することもできる。併合画素の生成は好適には、検索された複数の画素データに対して高次の補間関数を実行することを含んでいる。併合画素を生成するために他の如何なる画素データの関数も使用できる。例えば処理時間を節約するために、関数は単に、単一の隣接画素の値に等しい併合画素値を設定することを含むこともできる。併合画素は、複数の隣接画素の組合せと見ることもできる。隣接画素の組合せは、画像の解像度と明るさとが改善されるように構成できる。
【００９７】
制御は、変調動作１３１０に移り、ここで信号は、前に検索された画素データによって修正済みビデオ画像信号を生成するように変調される。変調は、カウンタ・モジュールのゼロへの到達に応答して行ってもよい。ステップ１３１０でビデオ信号を変調した後に制御は、送信動作１３１２に移り、ここで修正済みビデオ画像信号は、陰極線管（ＣＲＴ）の電子銃に送られる。それから制御は、復帰動作１３１４に移り、ここで制御は呼び出し動作に戻される。
【００９８】
二つ以上のＤＭＤ、ＬＣＤまたは他のピクセル化された表示装置は、結果的に観察される画像を修正するためにこれらの同じ方法を使用する併合画像表示を形成するように光学的に重ね合わせできる。用途は、「ヘッドアップ」コックピット・ディスプレイ、自動車用ディスプレイ、ＡＲ（人工現実）ゴーグル・ディスプレイおよび一般的投影システムを含む。多数のオーバーラップした画素アレイを使用することは、観察パースペクティブ誘導歪みの存在するなかで解像度と明るさと画像品質とを向上させる。
【００９９】
ほとんどすべての表示装置は、人間の観察者が個々の要素を「見ている」ことに気付かないように、あるいは個々の画素を構成するカラー要素間を区別または解像できないように、使用に関して円弧の約０．５°のサイズの画素を持っている。しかしながらほとんどすべての表示装置で観察者は、画素構造に従わないラインのエッジのテクスチャと色合いとを認めることができる。観察者は、この構造に対して遙かに敏感であり、これの除去または最小化には、２倍を超える解像度を必要とする。
【０１００】
アレイがずれると画素スポットサイズは同じでも空間的アドレス空間は４倍になる。表示装置は、実際には物理的に高解像度を持たなくても遙かに高い解像度の見かけを持った画像を生成できるであろう。これは、米国テレビジョンシステム委員会（ＮＴＳＣ）ＴＶが何年にも亘って、画像は１フレーム当たり垂直方向にはブランキング後に見えるのは４８０本未満で単に５２５本のラインを持てばよく、水平方向にはその解像度より余り大きくないが位相空間は水平方向に遙かに大きいといったことを容認してきた一つの理由である。これは、天気予報で使用されるコンピュータ作成の図形を例外として、隣接ライン上の画素がビデオ帯域を増加させることなく、斜め線とエッジに連続した外観をほとんど無限に水平方向に（位相空間）与えるように位置決めされることを可能にする。
【０１０１】
これを言うもう一つの方法は、一定の表示面サイズと観察距離とを与えれば、別個のスポット（画素）間または白線黒線のペア間を区別できる観察者の能力に限界があると言うことである。一旦これが到達されれば、観察者が単に灰色を「見る」であろう程に小さなスポット（画素）を作る理由はほとんどない。しかしながらスポットサイズの間隔を持った一定のグリッドに限定されずに、任意にこの最小スポットを配置できることには大きな利点がある。これは、スポットまたはスポットのグループがオーバーラップして、ぎざぎざのエッジをグリッドのピッチと一致しない画像にまで最小化することを可能にするであろう。更にカラーの場合には二つ以上のアレイが重ね合わされるが正確には見当合わせされないであろう。ディジタルの動的見当合わせは、スポットが歪みとコンバーゼンス・フリーの画像を生成するために使用できるように、一致するスポットに関して修正済みアドレスを見つけることによって実施できる。
【０１０２】
アドレス指定空間を大きくするこの方法は、画像受信表示装置またはパソコン内のグラフィックス・カードといった画像生成装置に組み込むことができる。これは、ビデオ帯域あるいはメモリ要件を増加させずに現在使われている表示フォーマットよりも更に高い「解像度」の表示フォーマットの構成を可能にするであろう。我々は、４０９６×３０７２または８１７２×６１４４の「解像度」で、しかし実際には単に２０４８×１５３６または１５３６×１１５２のメモリと画素とを使って表示して、４×３個の画像を見ることができる。
【０１０３】
上記の明細説明と例とデータは、本発明の構成の製造と使用との全体的説明を与えている。本発明の精神と範囲から逸脱することなく本発明の多くの実施形態が実行可能であるから、本発明は前述の請求項に在る。
【０１０４】
本発明の種々の実施形態の論理動作は、（１）一連のコンピュータ実現機能、あるいはコンピュータシステム上を走行するプログラム・モジュールとして、および／または（２）コンピュータシステム内の相互接続された機械論理回路または回路モジュールとして実現される。この実現は、本発明を実現するコンピュータシステムの性能要件に依存する選択の問題である。従って、ここに述べた本発明の実施形態を構成する論理動作は、動作、構造手段、機能、あるいはモジュールなどと種々に呼ばれる。これらの動作、構造手段、機能、およびモジュールは、ここに添付された請求項に列挙された本発明の精神と範囲から逸脱することなく、ソフトウエアに、ファームウエアに、専用ディジタル論理に、またこれらの何らかの組合せに実現可能であることは、当業者によって認められるであろう。
【０１０５】
本発明が上述の並びにそれに本来的な目的と利点とを達成するように良く適応していることは明らかであろう。現在好適な実施例がこの開示のために説明されてきたが、本発明の範囲内で十分である種々の変更と修正が実施可能である。例えば特徴付けモジュールは、ビデオ画像データを処理するためのルールを持つこともできる。更なる例として、開ループの実施形態では、特徴付けモジュールの修正係数データテーブルに格納された仕様データにしたがって修正済みビデオ信号の伝送のタイミングを変化させるために電圧制御発信器を使用することもできる。当業者に直ちに連想される、またここに開示され、付属の請求項に記載された本発明の精神に包含される多数の他の変更が実施可能である。
【図面の簡単な説明】
【図１（ａ）】
本発明の一実施例におけるディジタル化された画像信号を予め修正するための本発明のシステムの概略図。
【図１（ｂ）】
本発明の一実施例におけるディジタル化された画像信号を予め修正するための本発明のシステムの概略図。
【図２】
予め修正されたビデオ信号を生成するために修正係数データを使用するビデオプロセッサ・モジュールに接続された特徴付けモジュールを有するモニタの概略図。
【図３】
走査ビームがスクリーンに亘って掃引する際の走査ビームの非線形誤差を示す表示スクリーンを示す図。
【図４】
本発明による図３に示す非線形誤差を修正する予め修正された画像を有する表示スクリーンを示す図。
【図５】
左右の糸巻歪み誤差を表す表示スクリーンを示す図。
【図６】
本発明による図５に示す左右および内側の糸巻歪み誤差を修正する予め修正された画像を有する表示スクリーンを示す図。
【図７】
表示スクリーンの上端／下端の糸巻歪み誤差を示す図。
【図８】
本発明による図７に示す上端／下端の糸巻歪みを修正する予め修正された画像を表示するスクリーンを示す図。
【図９】
コンバーゼンス不良誤差を有する表示スクリーンを示す図。
【図１０】
本発明による図９に示すコンバーゼンス不良を修正する予め修正された画像を表す表示スクリーンを示す図。
【図１１】
本発明の一例示的実施形態において画像を描画する走査ビーム線を有する表示スクリーンの概略図。
【図１２】
本発明における対応する画像メモリアドレスに写像された物理的スクリーン位置の概略図。
【図１３】
本発明の一実施例による画像を予め修正する方法を示す流れ制御図。
【図１（ａ）】
2004529374.tif 000003
【図１（ｂ）】
2004529374.tif 000004
【図２】
2004529374.tif 000005
【図３】
2004529374.tif 000006
【図４】
2004529374.tif 000007
【図５】
2004529374.tif 000008
【図６】
2004529374.tif 000009
【図７】
2004529374.tif 000010
【図８】
2004529374.tif 000011
【図９】
2004529374.tif 000012
【図１０】
2004529374.tif 000013
【図１１】
2004529374.tif 000014
【図１２】
2004529374.tif 000015
【図１３】
2004529374.tif 000016
【国際公開パンフレット】
2004529374.tif 000017
2004529374.tif 000018
2004529374.tif 000019
2004529374.tif 000020
2004529374.tif 000021
2004529374.tif 000022
2004529374.tif 000023
2004529374.tif 000024
2004529374.tif 000025
2004529374.tif 000026
2004529374.tif 000027
2004529374.tif 000028
2004529374.tif 000029
2004529374.tif 000030
2004529374.tif 000031
2004529374.tif 000032
2004529374.tif 000033
2004529374.tif 000034
2004529374.tif 000035
2004529374.tif 000036
2004529374.tif 000037
2004529374.tif 000038
2004529374.tif 000039
2004529374.tif 000040
2004529374.tif 000041
2004529374.tif 000042
2004529374.tif 000043
2004529374.tif 000044
2004529374.tif 000045
2004529374.tif 000046
2004529374.tif 000047
2004529374.tif 000048
2004529374.tif 000049
2004529374.tif 000050
2004529374.tif 000051
2004529374.tif 000052
2004529374.tif 000053
2004529374.tif 000054
2004529374.tif 000055
2004529374.tif 000056
2004529374.tif 000057
2004529374.tif 000058
2004529374.tif 000059
2004529374.tif 000060
2004529374.tif 000061
2004529374.tif 000062
2004529374.tif 000063
2004529374.tif 000064
2004529374.tif 000065
2004529374.tif 000066
【国際公開パンフレット（コレクトバージョン）】
2004529374.tif 000067
【国際調査報告】
2004529374.tif 000068
2004529374.tif 000069
2004529374.tif 000070